(57)【要約】【課題】ハンドルに配設可能な、振動に強い非接触型電気手動スイッチを有する手持式電動工具装置を得る。【解決手段】横方向に突出し、振動絶縁してハンドル旋回点Ｇの周りに旋回可能な少なくとも１個のハンドル３と、このハンドル３に配設した操作手段５を有する手動スイッチ４とを備える手持式電動工具装置において、操作手段５を、スイッチ手段６を有する変位可能な切替えロッド７を介して、構造ユニット２内のハンドル旋回点Ｇ近傍に配設した少なくとも１個のセンサスイッチ８に切替え可能に接続し、切替えロッド７は、ハンドル３内においてスイッチ旋回点Ｓに旋回可能に取り付け、このスイッチ旋回点Ｓは、振動軸線Ａから離れるようにハンドル旋回点Ｇから離間して設ける。好適には、スイッチ旋回点Ｓを、ハンドル旋回点Ｇと操作手段５との間における距離の１／３の位置に配設し、センサスイッチ８をホール素子として、スイッチ手段を永久磁石として構成する。【選択図】図２
2009119593.tif 000002
【特許請求の範囲】
【請求項１】
振動軸線（Ａ）に沿って振動する構造ユニット（２）を有する手持式電動工具装置であって、
横方向に突出し、振動絶縁してハンドル旋回点（Ｇ）の周りに旋回可能な少なくとも１個のハンドル（３）と、このハンドル（３）に設けた操作手段（５）を有する手動スイッチ（４）とを備える該手持式電動工具装置において、
前記操作手段（５）を、スイッチ手段（６）を有する変位可能な切替えロッド（７）を介して、前記構造ユニット（２）内の前記ハンドル旋回点（Ｇ）近傍に配設した少なくとも１個のセンサスイッチ（８）に切替え可能に接続し、前記切替えロッド（７）は、前記ハンドル（３）内においてスイッチ旋回点（Ｓ）に旋回可能に取り付け、このスイッチ旋回点（Ｓ）は、前記振動軸線（Ａ）から離れるように前記ハンドル旋回点（Ｇ）から離間して設けたことを特徴とする手持式電動工具装置。
【請求項２】
請求項１に記載する手持式電動工具装置において、前記スイッチ旋回点（Ｓ）を、前記ハンドル旋回点（Ｇ）と前記操作手段（５）との間における距離の１／３の位置に配設した手持式電動工具装置。
【請求項３】
請求項１または２に記載する手持式電動工具装置において、前記センサスイッチ（８）をホール素子として構成し、また、前記スイッチ手段（６）を永久磁石として構成した手持式電動工具装置。
【請求項４】
請求項１〜３のうちいずれか一項に記載する手持式電動工具装置において、前記スイッチ手段（６）に２個のセンサスイッチ（８）を設け、これらセンサスイッチ（８）を前記スイッチ手段（６）の両側にスイッチング方向に直交する方向に離間させた手持式電動工具装置。
【発明の詳細な説明】
【技術分野】
【０００１】
本発明は、少なくとも部分的に打撃モードで作動する、特にチゼルハンマまたは組合せハンマなどの手持式工具装置であって、ハンドルに非接触型手動スイッチを備えた手持式工具装置に関するものである。
【０００２】
用途に応じて過酷な粉塵負荷および強い振動にさらされる手持式電動工具装置において、接触型の機械的なスイッチは著しく磨耗する。
【背景技術】
【０００３】
特許文献１（米国特許第５０１４７９３号明細書）の記載する手持式電動工具装置は、手動スイッチによって操作し、その操作手段によって圧電センサを操作することで電源スイッチを制御できる。このとき圧電センサは、必然的に操作手段と機械的に接触するので、結果として操作手段に振動が伝達される。 
【０００４】
特許文献２（独国特許出願公開第１９９４２１５６号）に記載の組合せハンマは、非接触型回転スイッチを備え、この回転スイッチには、永久磁石を有する移動可能なスイッチロッドを介して、ホール素子を制御可能に取り付ける。このようにホール素子および回転操作手段を単一のハウジングと連結しているため、スイッチングを阻害する可能性のある相対的な振動は生じない。
【０００５】
特許文献３（独国特許出願公開第１０２５９５６９号）に記載の、振動軸線に沿って振動する構造ユニットを有する手持式電動工具装置は、振動絶縁したメインハンドル内の操作手段と、センサスイッチとを有する非接触型電気手動スイッチを備え、このセンサスイッチは、永久磁石を有し、振動軸線に直交する方向に旋回可能なスイッチ支持体に振動絶縁して接続し、このスイッチ支持体は、操作手段から、振動軸線に沿って限定的に軸線方向に変位する旋回伝達手段を介して手動制御可能とする。この解決法は、横方向に突出する振動絶縁したハンドルには適用できない。
【０００６】
特許文献４（特開２００２−７９４７７号）には、振動軸線に沿って振動する構造ユニットを有する手持式電動工具装置が記載されており、横方向に突出する、振動絶縁して、ハンドル旋回点の周りに旋回可能な２個のハンドルを備え、このハンドルには、軸線方向に動作可能な操作手段を有する手動スイッチが取り付けられている。
【特許文献１】米国特許第５０１４７９３号明細書
【特許文献２】独国特許出願公開第１９９４２１５６号明細書
【特許文献３】独国特許出願公開第１０２５９５６９号明細書
【特許文献４】特開２００２−７９４７７号公報
【発明の開示】
【発明が解決しようとする課題】
【０００７】
したがって、本発明は、ハンドルに配設可能な、振動に強い非接触型電気手動スイッチを実現することを目的とする。
【課題を解決するための手段】
【０００８】
本発明によれば、振動軸線に沿って振動する構造ユニット、および少なくとも１個の、横方向に突出し、振動絶縁してハンドル旋回点の回りに旋回可能なハンドルを有する手持式電動工具装置に、ハンドルに配設した操作手段を有する非接触型電気手動スイッチを設け、この操作手段は、スイッチ手段を備える変位可能な切替えロッドを介して、構造ユニット内のハンドル旋回点近傍に配設した少なくとも１個のセンサスイッチに切替え可能に接続し、この切替えロッドはハンドル内において、スイッチ旋回点に旋回可能に取り付け、このスイッチ旋回点は、振動軸線から離れるようにハンドル旋回点から離間して設ける。
【発明の効果】
【０００９】
スイッチ旋回点を用いて旋回可能なハンドルとして構成したレバーメカニズムによって、スイッチ手段は、操作手段の軸線方向の動作によってのみ、センサスイッチに関してスイッチングするのに十分な距離を移動することになる。これに対し、ハンドル全体の軸線方向への旋回は影響を与えない。
【発明を実施するための最良の形態】
【００１０】
好適には、スイッチ旋回点を、ハンドル旋回点と操作手段との間における距離の１／３の位置に取り付ける。この構成により、操作手段の変位量が、スイッチ手段の変位量にほぼ相応する。
【００１１】
好適には、センサスイッチをホール素子として構成し、また、スイッチ手段を永久磁石として構成する。この構成により、丈夫で粉塵に強い非接触型の電気手動スイッチが実現できる。
【００１２】
好適には、スイッチ手段に２個のセンサスイッチを設け、これらのセンサスイッチは、スイッチ手段の両側に、スイッチング方向に直交する方向に離間させて設ける。この構成により、対応するスイッチロジックに関連して冗長スイッチシステムが実現される。
【実施例】
【００１３】
図１に示すように、振動軸線Ａに沿って振動する構造ユニット２を有する手持式電動工具装置１は、横方向に突出し、振動絶縁して、それぞれハンドル旋回点Ｇの周りに旋回可能なハンドル３を備え、これらハンドル３の一方には、図２に示す非接触型電気手動スイッチ４の、軸線方向に手動操作可能な操作手段５を備える。
【００１４】
図２に示すように、手動スイッチ４において、ハンドル３に設けた操作手段５は、スイッチ手段６を備える変位可能な切替えロッド７を介して、構造ユニット２内のハンドル旋回点Ｇ付近に設けたセンサスイッチ８に切替え可能に接続する。切替えロッド７はハンドル３内でスイッチ旋回点Ｓの周りに旋回可能に配置する。このスイッチ旋回点Ｓは、振動軸線Ａに交差する方向において、ハンドル旋回点Ｇと操作手段５との間の１／３に配設する。
【００１５】
図３に示すように、センサスイッチ８は、内蔵型ホール素子として、また、スイッチ手段６は、切替えロッド７にはめ込んだ永久磁石として構成する。スイッチ手段６には、２個のセンサスイッチ８を取り付け、これらは、スイッチ手段６の両側に、スイッチロッド７の旋回動作に直交する方向に離間させる。
【００１６】
図６に示すように、スイッチ手段６（制限範囲内の異なる変位状態を示す）を有するスイッチロッド７（単に１箇所の位置のみを示す）を、スイッチング領域Ｅを有するセンサスイッチ８に対して旋回動作をする際に、操作手段５を軸線方向に手動操作する動作Ｂ（図２参照）だけが切替えに十分な移動を引き起こし、単にハンドル３の軸線方向の旋回Ｖ（図４および図５参照）だけでは、スイッチ手段６を、スイッチオフ状態（図２参照）に送るのに十分な距離をスイッチング領域Ｅから移動させることはできない。
【図面の簡単な説明】
【００１７】
【図１】チゼルハンマの形態とした本発明手持式工具装置の正面図である。
【図２】本発明手持式工具装置の、スイッチ非操作時における上側旋回位置の縦断面図である。
【図３】本発明手持式工具装置の、センサスイッチの横断面図である。
【図４】本発明手持式工具装置の、スイッチ操作時における上側旋回位置の縦断面図である。
【図５】本発明手持式工具装置の、スイッチ操作時における下側旋回位置の縦断面図である。
【図６】本発明手持式工具装置の、変位平面における変位軌跡を示す線図的説明図である。
【符号の説明】
【００１８】
２  構造ユニット
３  ハンドル
４  手動スイッチ
５  操作手段
６  スイッチ手段
７  スイッチロッド
８  センサスイッチ
Ａ  振動軸線
Ｂ  操作動作
Ｅ  スイッチング領域
Ｇ  ハンドル旋回点
Ｓ  スイッチ旋回点
Ｖ  旋回
【図１】
2009119593.tif 000003
【図２】
2009119593.tif 000004
【図３】
2009119593.tif 000005
【図４】
2009119593.tif 000006
【図５】
2009119593.tif 000007
【図６】
2009119593.tif 000008